(57)【要約】  【課題】  監視カメラシステムの異常状態を容易に監視できる監視カメラシステムを提供する。  【解決手段】  監視カメラ装置５および監視装置１１で構成される監視カメラシステムにおいて、前記監視カメラシステムの異常状態を示す信号を検出して報知する手段１０，１３〜１５と、この異常状態を示す信号をモニタ上に文字情報によって視覚的に知らせる手段１０，９，１２を備えたことを特徴とする。【選択図】  図１
2005101692.tif 000002
【特許請求の範囲】
【請求項１】
監視カメラ装置および監視装置で構成される監視カメラシステムにおいて、前記監視カメラシステムの異常状態を示す信号を検出して報知する手段と、この異常状態を示す信号をモニタ上に文字情報によって視覚的に知らせる手段を備えたことを特徴とする監視カメラシステム。
【発明の詳細な説明】
【技術分野】
【０００１】
本発明は、監視カメラ装置および監視装置で構成される監視カメラシステムに関するものである。
【背景技術】
【０００２】
監視カメラシステムは、一般的に監視カメラ装置と監視装置で構成される。監視カメラ装置は、監視したい箇所に設置をし、監視装置で前記監視カメラ装置を遠隔で操作および監視するのが一般的である。
【０００３】
監視カメラ装置と監視装置間の伝送は、伝送路の建設費、伝送距離、画質などの使用目的によって、光ファイバケーブルによる伝送、LAN（Local  Area  NET  Work）やＩＳＤＮ（Integrated Services Digital Network）回線等から最適な伝送方法を選択して行われる。
【０００４】
図２は、従来の監視カメラシステムの構成図である（文献公知発明に係るものではない）。
【０００５】
２０は監視カメラ装置である。監視カメラ装置２０は大きく分類すると、カメラ１９と、前記カメラ１９からの映像信号を処理して監視装置２９に伝送するための伝送処理装置（映像）２１と、監視装置２９から伝送された制御信号を処理するための伝送処理装置（制御）２２と、伝送処理装置（制御）２２と信号のやりとりをしてカメラ１９を制御するための制御装置３３で構成される。
【０００６】
監視装置２９は、監視カメラ装置２０からの映像信号を受信するための伝送処理装置（映像）２７と、監視カメラ装置２０の伝送処理装置（制御）２２と送受信するための伝送処理装置（制御）３０と、伝送処理装置（映像）２７で受信した映像信号に文字情報を重畳するための文字発生部２８と、伝送処理装置（制御）３０と信号のやりとりをして文字発生部２８を制御する制御装置３１と、監視を行うためのモニタ部３２から構成する。
【０００７】
監視カメラ装置２０と監視装置２９の間の伝送は、前述したように、目的に応じて様々な手段があるが、本例では低損失で長距離伝送を特長とする光ファイバーによる伝送として説明する。
【０００８】
カメラ１９からの映像信号は、伝送処理装置（映像）２１に、同軸ケーブル３４を介して映像信号を伝送する。伝送処理装置（映像）２１は、この映像信号を光信号に変換し、光ファイバケーブル２４を介して、監視装置２９内の伝送処理装置（映像）２７に信号を伝送する。
【０００９】
伝送処理装置（映像）２７は、送られてきた信号を光信号から電気信号に復元を行う。復元された映像信号は、文字発生部２８にて、カメラ名称等の文字情報を映像信号に重畳し、モニタ部３２に出力する。図５にモニタ部３２の画像の一例を示す。
【００１０】
また、カメラ１９を制御するための制御信号は、監視装置２９内の制御装置３１からの信号が、映像信号と同様に、伝送処理装置（制御）３０で光信号に変換され、光ファイバケーブル２５を介して、監視カメラ装置２０内の伝送処理装置（制御）２２に伝送される。
【００１１】
伝送された信号は、伝送処理回路（制御）２２において、光信号から、電気信号に変換される。この信号は、制御装置３３からカメラ１９にケーブル３５を介して送られ、カメラ１９が制御される。
【００１２】
またこの制御信号は、カメラ１９で制御信号を認識し、実行したことを知らせるために監視装置２９内の制御装置３１に返送を行う。
【００１３】
ここで、上記監視カメラシステムに異常が発生した場合の診断方法について説明する。
【００１４】
監視カメラ装置２０内の伝送処理回路（映像）２１に異常が発生したとする。監視装置内のオペレータは、上記が原因となりモニタ部３２の映像が断となったことで、異常が生じている箇所を探すことになる。
【００１５】
監視装置２９内の機器には、図３のように故障が生じたときに点灯するエラー用ＬＥＤ３６を具備していることが多い。上記の場合伝送処理装置（映像）２１に異常が生じた結果、監視装置内２９の伝送処理装置（映像）２７が光信号の強度レベルの異常を検知し、エラー用ＬＥＤ３６を点灯する。
【００１６】
この結果、オペレータは、伝送処理装置（映像）２１に異常が生じたと推測し、対処することになる。
【発明の開示】
【発明が解決しようとする課題】
【００１７】
上記の例では、オペレータは監視カメラシステムのどの箇所で異常が生じているか推測するため、機器のエラー用ＬＥＤや信号をオシロスコープ等によって異常がないか確認する必要がある。
【００１８】
さらには、監視カメラ装置側で異常が生じたと推測した場合は、故障箇所を確認するために、設置場所まで行く必要がある。一般的に監視カメラ装置は環境的に厳しいところにおく場合が多い。そのため、システムの異常を発見するのが困難となる可能性がある。
【００１９】
本発明の課題は、監視カメラシステムの異常状態を容易に監視できる監視カメラシステムを提供することにある。
【課題を解決するための手段】
【００２０】
本発明は、上記課題を解決するために、監視カメラ装置および監視装置で構成される監視カメラシステムにおいて、前記監視カメラシステムの異常状態を示す信号を検出して報知する手段と、この異常状態を示す信号をモニタ上に文字情報によって視覚的に知らせる手段を備えたことを特徴とする。
【発明の効果】
【００２１】
本発明によれば、従来に比べて監視カメラシステムの異常状態をオペレータが容易に確認でき、したがって監視カメラシステムの運用面で信頼性の向上を図ることが可能となる効果を奏する。
【発明を実施するための最良の形態】
【００２２】
本発明に係る実施の形態について、詳述する。
【００２３】
図１は、本発明に係る実施の形態を示す監視カメラシステムの構成図である。
【００２４】
５は監視カメラ装置である。監視カメラ装置５は大きく分類すると、カメラ１と、前記カメラ１からの映像信号を処理して監視装置１１に伝送するための伝送処理装置（映像）２と、監視装置１１から伝送された制御信号を処理するための伝送処理装置（制御）３と、伝送処理装置（制御）３と信号のやりとりをしてカメラ１を制御するための制御装置６で構成される。
【００２５】
監視装置１１は、監視カメラ装置５からの映像信号を受信するための伝送処理装置（映像）７と、監視カメラ装置５の伝送処理装置（制御）３と送受信するための伝送処理装置（制御）８と、伝送処理装置（映像）７で受信した映像信号に文字情報を重畳するための文字発生部９と、伝送処理装置（制御）８と信号のやりとりをして文字発生部９を制御するとともに制御装置１０と、監視を行うためのモニタ部１２から構成する。
【００２６】
また、伝送処理装置（映像）７、伝送処理装置（制御）８は、それぞれ監視カメラ装置５の伝送処理装置（映像）２、伝送処理装置（制御）３から受信した光信号の強度レベルから異常を検知し、異常を検知した場合にはエラー信号を制御装置１０に送る。更に、監視装置１１内の他の装置についても所定の手段により異常を検知した場合には、エラー信号を制御装置１０に送る。
【００２７】
制御装置１０は、伝送処理装置（映像）７、伝送処理装置（制御）等から送られてくるエラー信号から、伝送処理装置（映像）２や伝送処理装置（制御）３等の異常情報を検出すると共に、監視カメラ装置５から送られてくる制御信号に含まれる監視カメラ装置５内の異常情報を検出するエラー検出回路１０Ａと、この異常情報を文字情報として文字発生部９に伝達する１０Ｂを備えている。また、エラー検出回路１０Ａが検出する異常情報で動作するリレー回路１３と、分電盤１４およびアラームランプ１５が設置されている。
【００２８】
なお、伝送処理装置（映像）７、伝送処理装置（制御）等が送るエラー信号に異常が発生した装置の情報を含ませるようにしてもよいし、エラー信号の送り元に応じて異常が発生した装置をエラー検出装置１０Ａが把握する、例えば、伝送処理装置（映像）７からエラー信号が送られてきた場合には、監視カメラ装置５の伝送処理装置（映像）２に異常が発生したことを表わすというような対応付けを、予めエラー検出装置１０Ａに設定しておくようにしてもよい。
【００２９】
監視カメラ装置５と監視装置１１の間の伝送は、目的に応じて様々な手段があるが、本例では低損失で長距離伝送を特長とする光ファイバーによる伝送として説明する。
【００３０】
カメラ１からの映像信号は、伝送処理装置（映像）２にて映像信号を伝送する。伝送処理回路（映像）２は、この映像信号を光信号に変換し、光ファイバケーブル４を介して、監視装置１１内の伝送処理装置（映像）７に信号を伝送する。
【００３１】
伝送処理装置（映像）７は、送られてきた信号を光信号から電気信号に復元を行う。復元された映像信号は、文字発生部９にて、カメラ名称等の文字情報を映像信号に重畳し、モニタ部１２に出力する。図５にモニタ部３２の画像の一例を示す。
【００３２】
また、カメラ１を制御するための制御信号は、監視装置１１内の制御装置１０からの信号が、映像信号と同様に、伝送処理装置（制御）８で光信号に変換され、監視カメラ装置５内の伝送処理装置（制御）３に伝送される。
【００３３】
伝送された信号は、伝送処理回路（制御）３において、光信号から、電気信号に変換される。この信号は、制御装置６からカメラ１に送られ、カメラ１が制御される。
【００３４】
またこの制御信号は、カメラ１で制御信号を認識し、実行したことを知らせるために監視装置１１内の制御装置１０に返送を行う。
【００３５】
ここで、上記監視カメラシステムにおいて、異常が発生した場合検出方法について説明する。
【００３６】
例えば、監視装置１１側から監視カメラ装置５のカメラ１を制御したい場合、監視装置１１が備える操作手段（図示していない）からカメラのバン・チルトなどの制御命令を受け取り、制御信号が制御装置１０ー伝送処理装置（制御）８―伝送処理装置（制御）３―制御装置６ーカメラ１へと伝わる。
【００３７】
カメラ１が制御信号に応じて正常に動作した場合、カメラ１はＡＣＫを制御装置６へ返す。カメラ１からのＡＣＫの戻りがない場合、制御装置６ではカメラ１が異常だとわかり、カメラ１が異常である旨の異常情報を制御信号に含ませて監視装置１１側へ送る。
【００３８】
その他、監視カメラ装置５内に、個々の装置や回路の異常を検出するエラー検出装置を設置し、検出された異常情報を制御装置６に集め、制御装置６から異常情報を制御信号に含ませた形で監視装置１１側へと送るようにしてもよい。
【００３９】
監視装置１１側の制御装置１０内のエラー検出回路１０Ａは、制御信号に含まれる監視カメラ装置５側の異常を検出し、また、伝送系のエラー情報を伝送処理回路（映像）７，伝送処理回路（制御）８を介して検出し、さらに、その他、監視装置１１内の各装置から送信されるエラー信号に基づき異常を検出してエラー検出信号として出力する。そしてこれらの検出したエラー検出信号をＣＰＵ１０Ｂに伝達する。
【００４０】
ＣＰＵ１０Ｂはこれらの検出したエラー検出信号を基に、文字発生部９に伝達し、異常状態を文字情報として、映像信号に重畳して、出力し、モニタ部１２に表示する。
【００４１】
図４は、伝送処理装置（映像）に異常が発生した状態を、モニタ部１２で見た場合の一例である。なお、表示はこのような形態に限らず、監視装置１１に複数台の監視カメラ装置５が接続されている場合には、監視カメラ装置５の番号等も併せて表示するようにしてもよい。
【００４２】
また、エラー検出回路１０Ａで検出したエラー検出信号によって、リレー１３は、分電盤１４から供給される電位差により、COMMONからMAKEに切り替わり、アラームランプ１５は、分電盤１４から供給されるＤＣ電圧によって点灯する。
【００４３】
したがって、オペレータは、監視カメラシステムに異常があると、アラームランプ１５によって、容易に監視カメラシステムの異常を確認することができ、異常の内容については、モニタ部１２のエラーメッセージを確認することで、内容を把握することが可能となる。
【図面の簡単な説明】
【００４４】
【図１】本発明に係る実施の形態を示す監視カメラシステムの構成図である。
【図２】従来の監視カメラシステムの構成図である。
【図３】機器に故障が生じたときにエラー用ＬＥＤが点灯した状態を示す図である。
【図４】伝送処理装置（映像）に異常が発生した状態を、モニタ部で見た場合の一例を示す図である。
【符号の説明】
【００４５】
１：カメラ、２：伝送処理装置（映像）、３：伝送処理装置（制御）、４：ケーブル、５：監視カメラ装置、６：制御装置、７：伝送処理装置（映像）、８：伝送処理装置（制御）、９：文字発生部、１０：制御装置、１０Ａ：エラー検出回路、１０Ｂ：ＣＰＵ、１１：監視装置、１２：モニタ部、１３：リレー、１４：分電盤、１５：アラームランプ、１９：カメラ、２０：監視カメラ装置、２１：伝送処理装置（映像）、２２：伝送処理装置（制御）、２６：ケーブル、２７：伝送処理装置（映像）、２８：文字発生部、２９：監視装置、３０：伝送処理装置（制御）、３１：制御装置、３２：モニタ部、３３：制御装置、３４：ケーブル、３５：ケーブル、３６：エラー用ＬＥＤ。
【図１】
2005101692.tif 000003
【図２】
2005101692.tif 000004
【図３】
2005101692.tif 000005
【図４】
2005101692.tif 000006